(57)【要約】【課題】  半田リフロー工程において、変形や歪みの心配がない撮像レンズモジュールやその実装方法を提供する。【解決手段】  基板と、  その基板の上に固定された光学センサと、  その光学センサの上方に位置するレンズ群と、  そのレンズ群を前記光学センサの上方に位置させるために当該レンズ群を固定するためのバレルホルダと、を備えて形成する。  前記レンズ群は、前記光学センサ側に位置するガラス部と、  そのガラス部における反光学センサ側の中央部分が凸となるプラスチック製レンズとを備え、  そのプラスチック製レンズにおける反ガラス部側は、耐熱プラスチック製の樹脂コーティング層を備えて形成する。【選択図】  図１
2008160348.tif 000002
【特許請求の範囲】
【請求項１】
基盤と、
その基盤の上に固定された光学センサと、
その光学センサの上方に位置するレンズ群と、
そのレンズ群を前記光学センサの上方に位置させるために当該レンズ群を固定するためのバレルホルダと、
を備えて形成する撮像レンズモジュールであって、
前記レンズ群は、前記光学センサ側に位置するガラス部と、
そのガラス部における反光学センサ側の中央部分が凸となるプラスチック製レンズとを備え、
そのプラスチック製レンズにおける反ガラス部側は、耐熱プラスチック製の樹脂コーティング層を備えて形成したことを特徴とする撮像レンズモジュール。
【請求項２】
基板と、
その基板の上に固定された光学センサと、
その光学センサの上方に位置するレンズ群と、
そのレンズ群を前記光学センサの上方に位置させるために当該レンズ群を固定するためのバレルホルダと、
を備えて形成する撮像レンズモジュールであって、
前記レンズ群は、前記光学センサ側に位置するガラス部と、
そのガラス部における反光学センサ側の中央部分が凸となるプラスチック製レンズとを一群のレンズ群として、複数群を備え、
各群のプラスチック製レンズにおける反ガラス部側は、耐熱プラスチック製の樹脂コーティング層を備えて形成したことを特徴とする撮像レンズモジュール。
【請求項３】
前記プラスチック製レンズが前記バレルホルダには接しないように、前記ガラス部を形成したことを特徴とする請求項１または請求項２のいずれかに記載の撮像レンズモジュール。
【請求項４】
前記ガラス部における前記光学センサ側の面には、IＲカットコーティングを施したことを特徴とする請求項１から請求項３のいずれかに記載の撮像レンズモジュール。
【請求項５】
前記樹脂コーティング層における上面には、ＡＲコーティングを施したことを特徴とする請求項１から請求項４のいずれかに記載の撮像レンズモジュール。
【請求項６】
前記プラスチック製レンズは、ＣＯＣ製、ＣＯＰ製、ＰＥＳ製のいずれかとしたことを特徴とする請求項１から請求項５のいずれかに記載の撮像レンズモジュール。
【請求項７】
請求項１から請求項６のいずれかに記載の撮像レンズモジュールを用いたことを特徴とするカメラモジュール。
【請求項８】
基板と、  その基板の上に固定された光学センサと、  その光学センサの上方に位置するレンズ群と、  そのレンズ群を前記光学センサの上方に位置させるために当該レンズ群を固定するためのバレルホルダと、を備えて形成する撮像レンズモジュールを回路基板に表面実装する方法であって、
前記基板の上において、前記レンズ群および前記バレルホルダを覆うことができる耐熱カバー材にて覆うカバー工程と、
半田にて前記撮像レンズモジュールを回路基板にリフローさせるリフロー工程と、
そのリフロー工程の後で前記耐熱カバー材を外すカバー取り外し工程と、を備えたことを特徴とする撮像レンズモジュールの実装方法。
【請求項９】
耐熱カバー材は、セラミック製としたことを特徴とする請求項８に記載の撮像レンズモジュールの実装方法。
【発明の詳細な説明】
【技術分野】
【０００１】
本発明は、ビデオカメラ、監視カメラ、車載カメラ及び、パソコンや携帯電話機用カメラ等の機器など組み込んで映像を撮像するのに用いる撮像レンズモジュール、およびそれを用いたカメラモジュールに関するものである。
【背景技術】
【０００２】
ＣＣＤやＣＭＯＳ等の撮像素子を用いた携帯電話等に組み込まれている撮像レンズモジュールは、忠実な被写体の再現性を備えていることが望ましい。
最近では、撮像素子が小型化されてきており、これに伴って、これらに組み込まれる撮像レンズも必然的に小型化、コンパクト化の要求が高まってきている。
さらに、撮像素子は、メガオーダーの高画素化となってきている。これを用いた撮像レンズモジュールは、安価で軽いことが要求されている。
【０００３】
さて、回路部品を電子機器の回路基板に表面実装するには、半田のリフローによるのが便利である。しかし、透明プラスチック製レンズを用いた小型撮像レンズモジュールでは、摂氏２６０度以上に達するリフロー温度に耐えられずに変形してしまうおそれがある。
そのため、撮像レンズモジュールの基板への実装は、コネクターなどを介して、半田リフロー工程後に、別工程にて取り付けされている。
よって、必然的にコネクターの費用、取り付け工程費用がかかり、コストダウンという観点からも、半田リフロー温度に耐えうる小型撮像レンズモジュールが要求されている。
そこで、レンズにリフロー熱が極力伝わらないようにする技術として、特許文献１に記載されるような技術がある。
【０００４】
【特許文献１】特開２００３−２８９４５６号公報
【発明の開示】
【発明が解決しようとする課題】
【０００５】
特許文献１に記載された技術では、まだ十分な耐熱性を得られない場合もある。
また、撮像レンズモジュールに求められている性能はメガピクセル以上となっている。こうした解像度が要求されると色収差の修正のため、レンズの数を増やすことで対応するしかない。そのため、レンズユニットの厚さが厚くなり、小型化が困難となる。
請求項１から請求項６に記載する発明が解決しようとする課題は、半田リフロー工程において、変形や歪みの心配がない撮像レンズモジュールを提供することである。
請求項７に記載する発明が解決しようとする課題は、半田リフロー工程において、変形や歪みの心配がない撮像レンズモジュールを提供することである。
請求項８および請求項９に記載する発明が解決しようとする課題は、半田リフロー工程において、変形や歪みの心配がない撮像レンズモジュールの実装方法を提供することである。
【課題を解決するための手段】
【０００６】
（請求項１）
請求項１記載の発明は、  基板と、  その基板の上に固定された光学センサと、  その光学センサの上方に位置するレンズ群と、  そのレンズ群を前記光学センサの上方に位置させるために当該レンズ群を固定するためのバレルホルダと、を備えて形成する撮像レンズモジュールに係る。
前記レンズ群は、前記光学センサ側に位置するガラス部と、  そのガラス部における反光学センサ側の中央部分が凸となるプラスチック製レンズとを備え、  そのプラスチック製レンズにおける反ガラス部側は、耐熱プラスチック製の樹脂コーティング層を備えて形成したことを特徴とする。
【０００７】
「光学センサ」とは、例えば１／７インチＣ−ＭＯＳセンサである。
「ガラス部」のガラスの厚さは、０．１〜１．０ミリメートルである。
「プラスチック製レンズ」とは、たとえば、ポリエーテルスルフォン（PES）製やシクロオレフィンポリマー（COC・COP）製のレンズである。その厚さは０．３〜１．０ミリメートル、直径は２．０〜５．０ミリメートルである。
「耐熱プラスチック製の樹脂コーティング層」とは、たとえば、透明のエポキシ樹脂によるコーティングである。その厚さは０．１〜１．０ミリメートルである。
【０００８】
（作用）
光学的特性に優れたガラスが部分的に使われているため、プラスチック製レンズのみから構成されているレンズ群よりも、レンズ群全体の小型化が可能である。
プラスチック製レンズが耐熱性に優れたガラス部と耐熱プラスチック製の樹脂コーティングとに覆われているので、  半田リフロー工程においても、最も熱に弱いプラスチック製レンズに、変形やひずみなどが生じにくい。
具体的には、摂氏２６０度の半田リフロー工程において、３０秒から１８０秒でも、プラスチック製レンズに対する変形や歪み、光学特性への影響が発見されなかった。
【０００９】
（請求項２）
請求項２記載の発明は、請求項１にも示したレンズ群が複数組、用意された撮像レンズモジュールに係る。
すなわち、  基板と、  その基板の上に固定された光学センサと、  その光学センサの上方に位置するレンズ群と、  そのレンズ群を前記光学センサの上方に位置させるために当該レンズ群を固定するためのバレルホルダと、を備えて形成する撮像レンズモジュールである。
前記レンズ群は、前記光学センサ側に位置するガラス部と、  そのガラス部における反光学センサ側の中央部分が凸となるプラスチック製レンズとを一群のレンズ群として、複数群を備え、  各群のプラスチック製レンズにおける反ガラス部側は、耐熱プラスチック製の樹脂コーティング層を備えて形成したことを特徴とする撮像レンズモジュールに係る。
【００１０】
レンズ群は、たとえば、１．３〜２．０メガピクセルが要求される場合には、１群３枚を２セットで実現させることが一般的である。
【００１１】
（請求項３）
請求項３記載の発明は、請求項１または請求項２のいずれかに記載の撮像レンズモジュールを限定したものである。
すなわち、前記プラスチック製レンズが前記バレルホルダには接しないように、前記ガラス部を形成したことを特徴とする。
【００１２】
プラスチック製レンズが前記バレルホルダには接しないような形状をなしているので、プラスチック製レンズに熱が伝わりにくく、耐熱性向上に寄与している。
【００１３】
（請求項４）
請求項４に記載の発明は、請求項１から請求項３のいずれかに記載の撮像レンズモジュールを限定したものである。
すなわち、前記ガラス部における前記光学センサ側の面には、IＲカットコーティングを施したことを特徴とする。
IＲカットコーティングとしては、赤外域の光をカットするためのコーティングである。
IＲカットコーティングがレンズ群の下面に施されていることとなり、光学的特性の向上に寄与する。
【００１４】
（請求項５）
請求項５に記載の発明は、請求項１から請求項４のいずれかに記載の撮像レンズモジュールを限定したものであり、前記樹脂コーティング層における上面には、ＡＲコーティング（反射防止）を施したことを特徴とする。
ＡＲコーティングがレンズ群の上面に施されていることとなり、光学的特性の向上に寄与する。
【００１５】
（請求項６）
請求項６に記載の発明は、請求項１から請求項５のいずれかに記載の撮像レンズモジュールを限定したものであり、  前記プラスチック製レンズは、ＣＯＣ製、ＣＯＰ製、ＰＥＳ製のいずれかとしたことを特徴とする。
ＣＯＣ製、ＣＯＰ製、ＰＥＳ製のいずれも光学的特性上問題ないからである。
【００１６】
プラスチック製レンズの材質としてＣＯＣ製、ＣＯＰ製、ＰＥＳ製のいずれかを採用することにより、撮像レンズ全体をコンパクトにすることに寄与する。
【００１７】
（請求項７）
請求項７に記載の発明は、  請求項１から請求項６のいずれかに記載の撮像レンズモジュールを用いたことを特徴とするカメラに係る。
カメラとしては、デジタルカメラ、携帯電話搭載カメラ、車載用カメラ、監視用カメラなどである。
【００１８】
（請求項８）
請求項８に記載の発明は基板と、  その基板の上に固定された光学センサと、  その光学センサの上方に位置するレンズ群と、  そのレンズ群を前記光学センサの上方に位置させるために当該レンズ群を固定するためのバレルホルダと、を備えて形成する撮像レンズモジュールを回路基板に表面実装する方法に係る。
すなわち、前記基盤の上において、前記レンズ群および前記バレルホルダを覆うことができる耐熱カバー材にて覆うカバー工程と、  半田にて前記撮像レンズモジュールを回路基板にリフローさせるリフロー工程と、  そのリフロー工程の後で前記耐熱カバー材を外すカバー取り外し工程と、を備えたことを特徴とする。
【００１９】
（請求項９）
請求項９に記載の発明は、請求項８に記載の撮像レンズモジュールの実装方法を限定したものであり、
耐熱カバー材は、セラミック製としたことを特徴とする。
【００２０】
セラミックの種類としては、例えば、アルミナなどがある。
【００２１】
耐熱カバー材の材質にセラミックを採用したので、当該カバー材を繰り返して使用することができる。
【発明の効果】
【００２２】
請求項１から請求項８によれば、メガオーダーの高画素に対応できるように収差補正が可能であり、且つ軽量コンパクトな撮像レンズを提供することができた。
請求項９によれば、メガオーダーの高画素に対応できるように収差補正が可能であり、且つ軽量コンパクトなカメラを提供することができた。
【発明を実施するための最良の形態】
【００２３】
以下、図１から図４を参照させながら、本発明を実施形態によって更に詳しく説明する。
まず、１群３枚を１セットとして構成した撮像レンズに係る第一の実施形態を説明する。
【００２４】
（図１）
図１は、第一の実施形態に係る撮像レンズの断面を示している。
第一の実施形態は、撮像レンズモジュールの主要部を示したものであり、  基板１０と、  その基板１０の上に固定された光学センサ１１と、  その光学センサ１１の上方に位置するレンズ群と、  そのレンズ群を前記光学センサの上方に位置させるために当該レンズ群を固定するためのバレルホルダ２０と、を備える。また、レンズ群の下部には、前記バレルホルダ２０の内側に固定されるリング状のストッパ４０が固定され、レンズ群を支持している。更に、レンズ群の上部には、上ストッパ５０が固定されている。
前記レンズ群は、前記光学センサ側に位置するガラス部２１と、  そのガラス部２１における反光学センサ１１側の中央部分が凸となるプラスチック製レンズ２２とを備え、  そのプラスチック製レンズ２２における反ガラス部２１側は、耐熱プラスチック製の樹脂コーティング層２３を備える。
前記のバレルホルダ２０およびストッパ４０は、耐熱性のプラスチック、例えばLC(P液晶ポリマー)製としている。
【００２５】
第一の実施形態に係る撮像レンズモジュールを用いて、デジタルカメラ、携帯電話搭載カメラ、車載用カメラ、監視用カメラなどを形成すると、以下のような効果がある。
第一に、メガオーダーの高画素に対応できるように収差補正が可能である。第二に、軽量コンパクトであり、比較的安価に製造できる。
【００２６】
（図２）
以下、半田リフロー工程の前後を、図２を参照させながら説明する。
すなわち、前記基板１０の上に設置し、前記レンズ群、前記ストッパ４０、前記上ストッパ５０および前記バレルホルダ３０を覆うことができる耐熱カバー材３０にて覆うカバー工程と、  半田にて前記撮像レンズモジュールを回路基板１０にリフローさせるリフロー工程と、  そのリフロー工程の後で前記耐熱カバー材３０を外すカバー取り外し工程とを含む。
【００２７】
ここにいう「耐熱カバー材」は、撮像レンズモジュールに熱が伝わりにくくなる役目をもつ。材質は耐熱性に優れるとともに、熱による膨張などの変形が少ない材質が好ましい。本実施形態では、セラミック製のカバー３０を採用した。
この耐熱カバー材があれば、摂氏２６０度の半田リフロー工程において、３０秒から２４０秒でも、プラスチック製レンズに対する変形や歪み、光学特性への影響が発見されなかった。
【００２８】
（図３）
図３に示すのは、第三の実施形態である。この実施形態は、１群3枚のレンズ群を２セットにて、撮像レンズモジュールを構成したものであり、１．３〜２．０メガピクセルが要求される場合に対応可能である。
【００２９】
図４に示すのは、第四の実施形態である。この実施形態は、１群3枚のレンズ群を３セットにて、撮像レンズモジュールを構成したものであり、２．０メガピクセルを超えるスペックが要求される場合、例えばデジタルカメラに対応可能である。
【産業上の利用可能性】
【００３０】
本願発明は、デジタルカメラや携帯電話などの携帯情報機器の製造業、車載カメラなどの自動車産業、監視用カメラなどの製造業などにおいて、利用可能性がある。
【図面の簡単な説明】
【００３１】
【図１】第一の実施形態に係る撮像レンズの構成図である。
【図２】第二の実施形態に係る撮像レンズの構成図である。
【図３】第三の実施形態に係る撮像レンズの構成図である。
【図４】第四の実施形態に係る撮像レンズの構成図である。
【図５】先行技術を示す断面図である。
【符号の説明】
【００３２】
１０  基板                  １１  光学センサ
２０  バレルホルダ
２１  ガラス                ２１ａ  ＩＲカットコーティング
２２  レンズ（プラスチック製）
２３  樹脂コーティング＋ＡＲコーティング
３０  カバー                ４０  ストッパ
５０  上ストッパ
【図１】
2008160348.tif 000003
【図２】
2008160348.tif 000004
【図３】
2008160348.tif 000005
【図４】
2008160348.tif 000006
【図５】
2008160348.tif 000007